(57)【特許請求の範囲】
【請求項１】
扉の外面側から内面側へ延びて時計方向と反時計方向との回転運動を反復可能な軸部と、前記外面側にあって前記軸部を前記回転運動させることが可能な操作部と、前記操作部を前記扉に取り付けるために前記外面側に固定される取付け部材と、前記内面側にあって前記軸部の前記回転運動に伴って回転して前記扉を固定枠に対して施錠状態と解錠状態とにすることが可能な止め金具とを有する施錠装置であって、
前記軸部は、前記取付け部材から前記内面側へ延びるスリーブ状部分の内側において前記回転運動を反復するものであり、
前記取付け部材は、前記扉の内側において前記スリーブ状部分の外周面に螺合するナットと協働して前記扉を内外方向から挟圧することによって前記扉に固定されるものであり、
前記止め金具は、前記扉の前記内面側に延びた前記軸部の内端部に固定されるとともに、前記ナットの外周面を覆う円筒状部を有し、前記軸部を前記回転運動させると、前記円筒状部が前記ナットの前記外周面に沿って回転することを特徴とする前記施錠装置。
【請求項２】
前記軸部は、円柱状部と、前記円柱状部から軸方向へ延びて前記内端部を形成する角柱状部とを有するものであって、前記止め金具はそれに形成された角孔において前記角柱状部に回転不能に嵌合し、前記角孔が前記円筒状部の径方向の中心に位置している請求項１記載の施錠装置。
【請求項３】
前記操作部が前記施錠装置の常態において前記軸部に対して固定されている態様のハンドルおよび前記施錠装置の常態において前記軸部に対して着脱できる態様のハンドルのいずれかを含む請求項１または２記載の施錠装置。
【発明の詳細な説明】
【技術分野】
【０００１】
この発明は、扉を固定枠に対して施錠するための施錠装置に関する。
【背景技術】
【０００２】
扉の外側でハンドルを回転させると、扉の内側にある止め金具が回転して固定枠に係合し、扉を固定枠に対して施錠状態にすることのできる施錠装置は周知である。また、ハンドルを回転させると、扉の内側にあるロッドが扉の縦方向および／または横方向に動いて、固定枠に形成された嵌合孔に退出可能に進入して扉を施錠状態にすることができる施錠装置も周知である。
【０００３】
例えば、特開平８−１７０４６６号公報（特許文献１）に記載の扉用ハンドルでは、ハンドルから扉の内側へ延びた軸部の先端部分に角柱状部が形成され、その角柱状部に止め金具が取り付けられている。止め金具は、それ自体が固定枠に係合して扉を施錠状態にすることができるものであることに加えて、扉の上下方向へ延びる一対のロッドが取り付けられていて、ハンドルの回転に伴ってそれらのロッドが上下動することによっても扉を施錠状態にすることができる。
【先行技術文献】
【特許文献】
【０００４】
【特許文献１】特開平８−１７０４６６号公報
【発明の概要】
【発明が解決しようとする課題】
【０００５】
従来例の施錠装置では、角柱状部に形成されたねじ穴に螺合する小ねじによって、止め金具が角柱状部に固定されている。このような施錠装置では、施錠状態にある扉に地震等によって激しい振動が加わるとか、解錠操作をすることなく扉を無理に開こうとすることが繰り返されるとかということがあると、角柱状部や小ねじには止め金具を介してそれらを変形させる力が作用して、施錠装置の一部が破損したり、解錠不能になったりするということがある。
【０００６】
この発明が課題とするところは、扉の激しい振動にも耐えうるように改良された施錠装置の提供である。
【課題を解決するための手段】
【０００７】
前記課題を解決するために、この発明が対象とするのは、扉の外面側から内面側へ延びて時計方向と反時計方向との回転運動を反復可能な軸部と、前記外面側にあって前記軸部を前記回転運動させることが可能な操作部と、前記操作部を前記扉に取り付けるために前記外面側に固定される取付け部材と、前記内面側にあって前記軸部の前記回転運動に伴って回転して前記扉を固定枠に対して施錠状態と解錠状態とにすることが可能な止め金具とを有する施錠装置である。
【０００８】
かかる施錠装置において、この発明が特徴とするところは、以下のとおりである。前記軸部は、前記取付け部材から前記内面側へ延びるスリーブ状部分の内側において前記回転運動を反復するものである。前記取付け部材は、前記扉の内側において前記スリーブ状部分の外周面に螺合するナットと協働して前記扉を内外方向から挟圧することによって前記扉に固定されるものである。前記止め金具は、前記扉の前記内面側に延びた前記軸部の内端部に固定されるとともに、前記ナットの外周面を覆う円筒状部を有し、前記軸部を前記回転運動させると、前記円筒状部が前記ナットの前記外周面に沿って回転する。
【０００９】
この発明の実施態様の一つにおいて、前記軸部は、円柱状部と、前記円柱状部から軸方向へ延びて前記内端部を形成する角柱状部とを有するものであって、前記止め金具はそれに形成された角孔において前記角柱状部に回転不能に嵌合し、前記角孔が前記円筒状部の径方向の中心に位置している。
【００１０】
この発明の実施態様の他の一つにおいて、前記操作部が前記施錠装置の常態において前記軸部に対して固定されている態様のハンドルおよび前記施錠装置の常態において前記軸部に対して着脱できる態様のハンドルのいずれかを含む。
【発明の効果】
【００１１】
この発明に係る施錠装置では、扉の内側へ延びるスリーブ状部分の内側で軸部が時計方向と反時計方向との回転運動を反復する。軸部の先端部分に固定された止め金具は、スリーブ状部分の外周面に螺合するナットを覆う円筒状部を有している。扉が固定枠に対して旋回運動することによって開閉するものであって、止め金具が固定枠に係合して施錠状態にある扉が振動すると、振動は止め金具によって抑えられる。その反作用として、止め金具は、それが嵌合している角柱状部を折り曲げるように作用することがある。しかし、この施錠装置では、扉が振動したときに、止め金具における円筒状部の内周面がそのナットに当接することで、角柱状部に対するそのような作用を防ぐことができる。
【図面の簡単な説明】
【００１２】
図面は、この発明の特定の実施の形態を示し、発明に不可欠な構成ばかりでなく、選択的に実施することができる形態および好ましい実施の形態を含む。
【図１】使用状態にある施錠装置の部分破断斜視図。
【図２】一部分を断面図で示す図１の施錠装置の側面図。
【図３】図１の施錠装置を扉の内側から見たときの組立図。
【発明を実施するための形態】
【００１３】
添付の図面を参照してこの発明に係る施錠装置の詳細を説明すると、以下のとおりである。
【００１４】
図１は、この発明に係る施錠装置の一例であるハンドル付き施錠装置１０の使用状態を示す部分破断斜視図である。施錠装置１０は、固定枠５に対して蝶番（図示せず）を介して旋回するように開閉する扉６に取り付けられている。ただし、図では、固定枠５と扉６との一部分のみが示されている。施錠装置１０は、扉６の外面側に固定されている取付け部材１１と、取付け部材１１に対して時計方向と反時計方向との回転運動を往復させることが可能なハンドル１３を有する操作部１４と、ハンドル１３とともに回転運動をして固定枠５に対する施錠位置と解錠位置との間を往復する止め金具１５とを有する。その止め金具１５は、第１アーム１６と、一対の第２アーム１７ａ，１７ｂとを有する。第１アーム１６は固定枠５における縁部５ａの後方の施錠位置にあって、扉６が施錠状態にある。一対の第２アーム１７ａ，１７ｂそれぞれには、ロッド部材１８ａ，１８ｂが取り付けられている。ロッド部材１８ａ，１８ｂのそれぞれは、扉６の上下方向へ延びていて、固定枠５におけるロッド挿入孔１９ａ，１９ｂのそれぞれに退出可能に進入している。図示例においてハンドル１３を矢印Ａで示す反時計方向へ回転させると、止め金具１５も反時計方向Ａへ回転して、第１アーム１６の固定枠５に対する係合が解けるとともに、ロッド部材１８ａ，１８ｂのそれぞれが挿入孔１９ａ，１９ｂから退出して、施錠装置１０および扉６が解錠状態になる。
【００１５】
図２，３は、図１における施錠装置１０の側面図と、施錠装置１０の組立図である。ただし、図２においては、施錠装置１０の一部分が断面図で示されている。これらの図において、扉６の外面側に位置する操作部１４の取付け部材１１は扉６の内面側に延びるスリーブ状部分２０を有し、ハンドル１３はスリーブ状部分２０の内側において扉６の内面側へ延びる軸部２１を有する。扉６の内面側では、スリーブ状部分２０の外周面は雄ねじ２０ａになっている。スリーブ状部分２０に対しては歯付き座金２６が嵌合し、ナット２７が螺合することによって、取付け部材１１が扉６に対して固定されている。軸部２１は、スリーブ状部分２０に周方向へ摺動可能に嵌合している円柱状部２１ａと、スリーブ状部分２０から延出している角柱状部２１ｂ（図３参照）とを有する。取付け部材１１と扉６との間にはゴムパッキング２２が介在し、これら扉６とゴムパッキング２２とには、スリーブ状部分２０のための挿入孔２３，２４が形成されている。軸部２１の先端部分に位置する角柱状部２１ｂは、止め金具１５に形成された角孔３６において嵌合していて、止め金具１５が軸部２１とともに回転できる状態にある。角柱状部２１ｂの端面４８にはばね座金のついた抜け止め用ボルト３３が平座金３４を介して螺合している。
【００１６】
図３において、止め金具１５には、軸部２１およびスリーブ状部分２０に直交して横方向へ延びる第１アーム１６と上下方向へ延びる一対の第２アーム１７ａ，１７ｂとが形成されていることに加え、角孔３６を中心にして扉６に向かって延びる円筒状部３７が形成されている。円筒状部３７は、スリーブ状部分２０および軸部２１と同軸の関係にあって、図２に示されているように、スリーブ状部分２０に螺合しているナット２７を覆っている。その円筒状部３７の内径は、ナット２７の最大外径よりも僅かに大きく、例えば最大外径よりも０．１−０．５ｍｍ大きく作られていて、ハンドル１３を反時計方向Ａまたは時計方向へ旋回させると、円筒状部３７はナット２７の周方向へ回転する。また、例えば扉６が振動することによって第１アーム１６とスリーブ状部分２０との交差が直交状態から僅かに変化すると、すなわち、スリーブ状部分２０に対して止め金具１５が僅かに傾斜すると、第１アーム１６につながる円筒状部３７もスリーブ状部分２０に対して傾斜して、円筒状部３７の内周面がナット２７の外周面に当接する。
【００１７】
止め金具１５が固定枠５に係合して施錠状態にある扉６は、それを解錠状態にすることなく無理に開こうとしたり、地震があったりすると、固定枠５に対しての振動を繰り返すことがある。例えば、扉６が開く方向と閉じる方向とへの振動を繰り返すことがある。そのときの開く方向への扉６の動きは、止め金具１５の作用によって止められるのであるが、その作用は、軸部２１の角柱状部２１ｂに嵌合している角孔３６の周縁部分と、ナット２７を覆う円筒状部３７とにおいて発生する。すなわち、第１アーム１６が固定枠５に係合している止め金具１５は、角孔３６の周縁部分がボルト３３を介して角柱状部２１ｂに固定されていることによって、扉６の動きを抑えるように作用する。止め金具１５はまた、扉６が開く方向へ旋回すると、スリーブ状部分２０に対して傾斜して、円筒状部３７の内周面が径方向からナット２７に当接することによっても、扉６の開く方向への動きを抑えるように作用する。円筒状部３７によるそのような作用は、角孔３６の周縁部が角柱状部２１ｂを折り曲げるように作用することを防ぐ。それゆえ、施錠装置１０では、円筒状部３７が存在しないときに、角柱状部２１ｂと角孔３６の周縁部との間の相互作用だけで扉６の開く方向への動きを止めようとすると角柱状部２１ｂにそれを折り曲げるようとする強い力の作用することがあるのであるが、円筒状部３７が存在することによって、そのような力の作用することを防ぐことができる。
【００１８】
なお、図２における施錠装置１０は、それの通常の使用状態である常態において、取付け部材１１とハンドル１３とが一体になっているが、施錠装置１０を分解するときには、ハンドル１３を取付け部材１１から外すことができる。ただし、図２において、取付け部材１１とハンドル１３とについての詳細構造の図示は省略されている。
【００１９】
このように形成されている図１の施錠装置１０において、ハンドル１３を反時計方向Ａへ回転させると、軸部２１が反時計方向Ａへ回転する。角柱状部２１ｂに嵌合している止め金具１５もまた反時計方向Ａへ回転し、第１アーム１６の固定枠５に対する係合が解けて扉６が解錠状態になる。
【００２０】
解錠状態にある扉６を施錠状態にするには、扉６を閉じた後にハンドル１３を時計方向へ回転させればよい。ハンドル１３を時計方向へ回転させると、止め金具１５を時計方向へ旋回させることができて、止め金具１５の第１アーム１６を固定枠５に対して図１の如く係合させることができる。
【００２１】
施錠装置１０は、ロッド部材１８ａ，１８ｂが取り付けられていない状態で使用することのできるものであるが、ロッド部材１８ａ，１８ｂが図１の如く取り付けられている場合の施錠装置１０は、次のように作用する。図１において、ハンドル１３を操作して止め金具１５を反時計方向Ａへ回転させると、止め金具１５における第２アーム１７ａ，１７ｂのそれぞれも反時計方向Ａへ回転する。そのときに、図１における上方のロッド部材１８ａは下降して、その上端部が挿入孔１９ａから退出する。下方のロッド部材１８ｂは上昇して、その下端部が挿入孔１９ｂから退出する。かくして、第２アーム１７ａ，１７ｂも固定枠５に対する係合が解けて、扉６は、それを開くことが可能になる。なお、角柱状部２１ｂは通常正方形の端面４８（図３参照）を有し、その端面４８にボルト３３を螺合させるためのねじ穴４９を有する。角柱状部２１ｂの端面４８において、対角線の長さは円柱状部２１ａの直径と同じであるかその直径よりも短く、端面４８における一辺の長さはその直径よりも短い。したがって、軸部２１において、円柱状部２１ａを大径部と呼び、角柱状部２１ｂは円柱状部２１ａとの比較において小径部と呼ぶこともできる。
【００２２】
この発明は、施錠装置１０の常態が図１のそれとは異なり、ハンドル１３が取付け部材１１に対して着脱可能に形成されている態様のもので実施することもできる。
【符号の説明】
【００２３】
５    固定枠
６    扉
１０    施錠装置
１１    取付け部材
１３    ハンドル
１４    操作部
１５    止め金具
１６    アーム（第１アーム）
１８ａ    ロッド部材
１８ｂ    ロッド部材
２０    スリーブ状部分
２１    軸部
２１ａ    円柱状部
２１ｂ    角柱状部
２７    ナット
３７    円筒状部
４３    角孔
【図１】
0005937051.tif 000002
【図２】
0005937051.tif 000003
【図３】
0005937051.tif 000004